(57)【特許請求の範囲】
【請求項１】
回転走査装置を用いてレーザービームを偏向走査する書込光学装置を本体構造体の側板間に設けられた書込底板の上面に取り付けた画像形成装置において、
前記書込光学装置の光学部品を収納するオプティカルハウジングの底部中央部に、一端が前記オプティカルハウジングに固定され、他端に、前記一端とは、鉤型部分を介して設けられた前記オプティカルハウジングの底部に向かって突出する突起部を備えた弾性押圧部材を設け、かつ前記書込底板に前記弾性押圧部材をセットする開口部を設け、
前記弾性押圧部材の前記突起部を、前記書込底板の前記開口部に挿入し、前記突起部を前記書込底板の下面に摺接するようにスライドさせて、前記書込光学装置を前記書込底板に押圧固定したこと
を特徴とする画像形成装置。
【請求項２】
請求項１に記載の画像形成装置において、前記弾性押圧部材を、熱伝導性部材で形成し、かつ前記レーザービームを偏向走査する装置の軸受け部に近接して設けたことを特徴とする画像形成装置。
【発明の詳細な説明】
【０００１】
【発明の属する技術分野】
本発明は、レーザービームを偏向走査する書込光学装置によって画像を記録するレーザープリンタやデジタル複写機等の画像形成装置に関する。
【０００２】
【従来の技術】
従来、レーザープリンタやデジタル複写機等の画像形成装置に用いられる書込光学装置には、光学部品をオプティカルハウジングに収容した書込ユニットが設置されている。書込ユニットでは、高速回転する多面鏡によってレーザービーム等の光ビームを反射させてこれを偏向走査し、得られた走査光をミラーによって感光体に結像させて静電潜像を形成する。次に、感光体の静電潜像を現像装置によってトナー像に顕像化し、これを記録紙等の記録媒体に転写して定着装置へ送り、記録媒体上のトナーを加熱定着させて印刷が行われる。
【０００３】
近年では、画像の高精細化や印字の高速化が進み、多面鏡のモータの駆動回転数が増大する傾向にある。モータを高速回転させると振動が増大し、振動はオプティカルハウジングを伝わり、ミラーを振動させる。ミラーの振動はレーザービームにぶれを生じさせるため、記録された画像の画質劣化を起こすことがあり問題となっていた。
【０００４】
特に、書込ユニットを側板間に設けた書込底板に固定する方式の場合、底板と書込光学装置の４隅にて固定することになる。この方式であると、書込ユニットが両持ち梁形状となるため中央部での振動が大きくなり、画像劣化が起こりやすくなる。
特開平１２−２８９４９号公報においては、書込ユニットを書込底板に固定する方式において、側板間距離の１／４よりも側板寄りの位置に固定することによって振動を防止した画像形成装置を提案している。しかし書込ユニットにおけるオプティカルハウジング自体の中央部の振動による画像劣化には対応されていない。
【０００５】
【発明が解決しようとする課題】
上記問題点に鑑み、書込ユニットを側板間に設けた書込底板に固定する方式の画像形成装置において、書込ユニットにおけるオプティカルハウジング中央部の振動を押さえ、画像劣化を防止した、より良好な画像品質の画像形成装置を提供することを目的とする。
【０００６】
【課題を解決するための手段】
上記課題を解決するために、請求項１に記載の本発明は、回転走査装置を用いてレーザービームを偏向走査する書込光学装置を本体構造体の側板間に設けられた書込底板の上面に取り付けた画像形成装置において、前記書込光学装置の光学部品を収納するオプティカルハウジングの底部中央部に、一端が前記オプティカルハウジングに固定され、他端に、前記一端とは、鉤型部分を介して設けられた前記オプティカルハウジングの底部に向かって突出する突起部を備えた弾性押圧部材を設け、かつ前記書込底板に前記弾性押圧部材をセットする開口部を設け、前記弾性押圧部材の前記突起部を、前記書込底板の前記開口部に挿入し、前記突起部を前記書込底板の下面に摺接するようにスライドさせて、前記書込光学装置を前記書込底板に押圧固定したことを特徴とする画像形成装置とする。
【０００８】
請求項２に記載の本発明は、請求項１に記載の画像形成装置において、前記弾性押圧部材を、熱伝導性部材で形成し、かつ前記レーザービームを偏向走査する装置の軸受け部に近接して設けたことを特徴とする画像形成装置とする。
【０００９】
【発明の実施の形態】
本発明の実施の形態について説明する。
図１は本発明における書込光学装置の概略図である。側板前部（１）と側板後部（２）に挟まれた配置で書込底板（３）が設置されており、書込底板（３）に書込ユニット（４）のオプティカルハウジング底部が概略４隅を固定用ネジ（５）によって固定されている。
【００１０】
図２は本発明の請求項１を説明する図であり、書込底板と書込ユニットを示す概略図である。書込ユニット（４）のオプティカルハウジング底部の中央部に弾性押圧部材（６）を固定している。書込底板（３）は鋼板製で、立ち上がった両側面部にて側板前部（１）と側板後部（２）とに固定されている。書込底板（３）には弾性押圧部材（６）をセットするための開口部（７）が設けられている。弾性押圧部材（６）に固定された書込ユニット（４）を書込底板（３）の開口部（７）にあわせて乗せ、所定の位置までスライドさせることによって弾性押圧部材（６）は書込底板（３）と書込ユニット（４）を押圧固定する。
【００１１】
書込ユニット（４）のオプティカルハウジング底部は両端部を固定用ネジ（５）で書込底板（３）に固定されているため、振動を受けた場合は中央部の振幅が一番大きくなるが、樹脂部材のオプティカルハウジングに対してはるかに剛性が高い鋼板製の書込底板（３）に書込ユニット（４）中央部が支持されるため、書込ユニット（４）の振幅は書込底板（３）の振幅に近いところまで低減される。
【００１２】
図３は本発明の変形例を説明する図であり、書込ユニットと書込底板を示す概略図である。書込ユニット（４）のオプティカルハウジング底部には押圧形状部（８）が設けられており、書込底板（３）の開口部（７）にセットした後所定の位置まで書込ユニット（４）をスライドさせることにより、押圧形状部（８）によって書込底板（３）と書込ユニット（４）は押圧固定され、書込ユニット（４）の振幅は書込底板（３）の振幅に近いところまで低減される。
【００１３】
図４は請求項２を説明する図であり、偏向走査装置と書き込みユニットと書込底板とを示す概略図である。書込ユニット（４）を書込底板（３）に押圧固定するための弾性押圧部材（１１）は熱伝導性部材にて設けられており、これを書込ユニット（４）内部に設けられている偏向走査装置（９）の軸受け部（１０）に近接して設けることによって、軸受け部（１０）にて発生した熱を書込底板（３）に逃がすことができる。また、偏向走査装置（９）は書込ユニット（４）の概略中央に設けられているため、ここに熱伝導性弾性押圧部材（１１）を設ければ、書込ユニット（４）のオプティカルハウジング自体の振幅も押さえ込むことが可能となる。
【００１４】
【発明の効果】
以上説明したように、本発明の請求項１に記載の画像形成装置においては、オプティカルハウジング底部の概略中央部に書込底板とオプティカルハウジングを押圧固定する弾性部材を設けているため、オプティカルハウジング中央部の振動を低減した画像形成装置を提供することができる。
【００１５】
図３に示した画像形成装置においては、弾性押圧部材をオプティカルハウジングと一体で設けているため、部品数の削減やコストダウンを図った画像形成装置を提供することができる。
【００１６】
請求項２に記載の画像形成装置においては、弾性押圧部材を熱伝導性部材で設け、かつ偏向走査装置軸受け部近傍に設置されているため、オプティカルハウジング中央部の振動を低減するとともに、偏向走査装置軸受け部の冷却をも行うことが可能な画像形成装置を提供することができる。
【図面の簡単な説明】
【図１】本発明における書込光学装置の概略図である。
【図２】本発明における請求項１の説明図であり、書込底板と書込ユニットを示す概略図である。
【図３】本発明における書込光学装置の変形例を示す説明図であり、書込ユニットと書込底板を示す概略図である。
【図４】本発明における請求項２の説明図であり、偏向走査装置と書き込みユニットと書込底板とを示す概略図である。
【符号の説明】
１ 側板前部
２ 側板後部
３ 書込底板
４ 書込ユニット
５ 固定用ネジ
６ 弾性押圧部材
７ 開口部
８ 押圧形状部
９ 偏向走査装置
１０ 軸受け部
１１ 熱伝導性弾性押圧部材
【図１】
0003889565.tif 000002
【図２】
0003889565.tif 000003
【図３】
0003889565.tif 000004
【図４】
0003889565.tif 000005